(57)【要約】【課題】  カラオケ楽曲の演奏が開始してから終了するまでの間、特定の相手に対して、常に競争意識を持って歌唱を行うことができるようにして、カラオケ歌唱の楽しさを高める。【解決手段】  利用者別に、歌唱採点値が算出された利用者の利用者識別情報と、カラオケ楽曲の楽曲識別情報と、歌唱区間毎の歌唱採点値とを関連付けて利用者別歌唱採点値データベース２５ａにて管理する利用者別歌唱採点値管理手段２３と、楽曲別に、楽曲識別情報と、最終歌唱採点値とを関連付けて楽曲別歌唱採点値データベース２５ｂにて管理する楽曲別歌唱採点値管理手段２４と、利用者別歌唱採点値データベース２５ａ、楽曲別歌唱採点値データベース２５ｂ、利用者の歌唱区間の歌唱採点値に基づいて、利用者の歌唱採点順位及び対戦相手の歌唱採点順位を算出して表示する歌唱採点順位逐次表示手段６３とを備える。【選択図】図１
2014149400.tif 000002
【特許請求の範囲】
【請求項１】
任意のカラオケ楽曲について歌唱採点を所望する利用者の歌唱採点順位と、当該利用者が指定した対戦相手の歌唱採点順位とを、カラオケ楽曲の演奏進行に伴って逐次表示することが可能な歌唱採点順位表示システムであって、歌唱採点手段と、利用者別歌唱採点値管理手段と、楽曲別歌唱採点値管理手段と、対戦相手特定手段と、歌唱採点順位逐次表示手段と、を備え、
前記歌唱採点手段は、利用者がカラオケ楽曲の歌唱を行う際に、マイクロホンから入力された当該利用者の歌唱音声と、当該カラオケ楽曲の採点リファレンスデータとを所定の歌唱区間毎に比較して歌唱採点値を算出し、
前記利用者別歌唱採点値管理手段は、利用者別に、前記歌唱採点手段により歌唱採点値が算出された利用者の利用者識別情報と、前記カラオケ楽曲の楽曲識別情報と、前記歌唱区間毎の歌唱採点値とを関連付けて、利用者別歌唱採点値データベースにて管理し、
前記楽曲別歌唱採点値管理手段は、楽曲別に、前記カラオケ楽曲の楽曲識別情報と、前記歌唱区間毎の歌唱採点値に基づいて算出される前記利用者の最終歌唱採点値とを関連付けて、楽曲別歌唱採点値データベースにて管理し、
前記対戦相手特定手段は、前記利用者別歌唱採点値データベースに基づいて、歌唱対戦を所望する利用者により入力されたカラオケ楽曲の楽曲識別情報及び対戦相手となる利用者の利用者識別情報を特定し、
前記歌唱採点順位逐次表示手段は、前記歌唱対戦を所望する利用者が前記特定されたカラオケ楽曲の歌唱を行うと、カラオケ楽曲の演奏進行に伴う歌唱区間毎に、前記楽曲別歌唱採点値データベースにおける当該カラオケ楽曲の前記最終歌唱採点値と、前記利用者別歌唱採点値データベースにおける前記対戦相手の当該歌唱区間の歌唱採点値と、当該利用者の当該歌唱区間の歌唱採点値とに基づいて、当該利用者の歌唱採点順位及び当該対戦相手の歌唱採点順位を算出して表示する、
ことを特徴とする歌唱採点順位表示システム。
【請求項２】
前記楽曲別歌唱採点値管理手段は、楽曲別に、前記カラオケ楽曲の楽曲識別情報と、前記歌唱区間毎の歌唱採点値に基づいて算出される前記利用者の最終歌唱採点値と、前記利用者の利用者識別情報とを関連付けて楽曲別歌唱採点値データベースにて管理し、
前記歌唱採点順位逐次表示手段は、前記楽曲別歌唱採点値データベースに前記対戦相手の利用者識別情報が含まれていた場合、当該利用者識別情報に関連付けられた最終歌唱採点値を除外して歌唱採点順位を算出する、
ことを特徴とする請求項１に記載の歌唱採点順位表示システム。
【発明の詳細な説明】
【技術分野】
【０００１】
本発明は、歌唱採点機能を有するカラオケシステムにおいて、歌唱採点を所望する利用者の歌唱採点順位と、当該利用者が指定した対戦相手の歌唱採点順位とを、カラオケ楽曲の演奏進行に伴って逐次表示することが可能な歌唱採点順位表示システムに関するものである。
【背景技術】
【０００２】
現在普及しているカラオケシステムには歌唱採点機能を有しているものがあり、さらに、複数の利用者の歌唱採点値を集計して、利用者間で歌唱採点順位を競うことができるカラオケシステムもある。歌唱採点順位は、歌唱採点を行った利用者数が増えるに従い変化するのが一般的であり、日々刻々と変化する歌唱採点順位を正確に報知するためのシステムが提案されている（例えば、特許文献１参照）。また、複数の利用者間で歌唱採点順位を競う場合に、ゲーム性を高めて、カラオケ歌唱の楽しさを高めるためのシステムが提案されている（例えば、特許文献２参照）。
【０００３】
特許文献１に記載された技術は、歌唱者の現時点の歌唱力を全国規模で正確に比較・評価することを目的とした技術である。このカラオケ装置は、利用者インタフェースと、通信手段と、採点手段と、制御手段とを備えている。利用者インタフェースは指定された楽曲を予約待ち行列に登録する利用者インタフェースと、ホスト装置と通信する通信手段と、ダウンロード処理と表示処理を行う制御手段とを備えている。ダウンロード処理は、予約待ち行列に登録されている楽曲の演奏に際して、当該楽曲の採点ランキング情報をホスト装置から取得する処理であり、表示処理は、採点手段が出力する採点情報と採点ランキング情報とを関連付けして表示する処理である。
【０００４】
特許文献２に記載された技術は、カラオケ楽曲について、競争の対象となるすべての利用者が歌唱した後に、利用者全員が、あたかもレース展開を見るように歌唱採点に基づく順位の途中変動を鑑賞できるようにした技術である。この歌唱順位表示システムは、利用者ＩＤ取得手段と、歌唱採点手段と、採点値管理手段と、歌唱順位表示手段とを備えている。そして、歌唱順位表示手段の機能により、各利用者の歌唱が終了した後に、予め複数の採点区間に分割された所定のカラオケ楽曲の演奏進行に従い、各採点区間に対応させて、当該区間から最初の区間までの各区間の採点値を利用者毎に積算し、順次、この採点積算値に基づく利用者間の順位表記又は当該順位を表現したグラフィックスを一覧表示する。
【先行技術文献】
【特許文献】
【０００５】
【特許文献１】特開２００５−９９２８８号公報
【特許文献２】特開２００７−３４１０６号公報
【発明の概要】
【発明が解決しようとする課題】
【０００６】
上述したように、従来の技術では、利用者間で歌唱採点順位を競う場合に、カラオケ楽曲の演奏の途中や演奏が終了した後に、各利用者の歌唱採点順位を表示するようになっている。また、表示される歌唱採点順位は、歌唱採点順位を競うゲームに参加している利用者全員に対する絶対的な順位である。
【０００７】
しかし、歌唱採点順位を競おうとする利用者の中には、ゲームに参加している利用者全員に対する絶対的な順位はともかくとして、ライバル関係にある特定の相手との間の優劣を競いたいという要望がある。すなわち、利用者全員に対する絶対的な順位が上位でない場合であっても、ライバル関係にある特定の相手よりは相対的に上位の順位を獲得したいと望むことがある。
【０００８】
上述した従来の技術では、利用者全員に対する絶対的な順位を知ることができたとしても、特定の相手との相対的な順位を知ることはできない。したがって、相対的な順位を知りたい場合には、カラオケ楽曲の歌唱行為とは別に、特定の相手の絶対的な順位を調べたり、直接、相手に順位を尋ねたりしなければならない。
【０００９】
この点、カラオケ楽曲の演奏の途中で、各歌唱区間における自らの歌唱採点順位と、特定の相手の歌唱採点順位を知ることができれば、カラオケ楽曲の演奏が開始してから終了するまでの間、常に競争意識を持って歌唱を行うことができる。
【００１０】
本発明は、上述した事情に鑑み提案されたもので、カラオケ楽曲の演奏が開始してから終了するまでの間、特定の相手に対して、常に競争意識を持って歌唱を行うことができるようにして、カラオケ歌唱の楽しさを高めることが可能な歌唱採点順位表示システムを提供することを目的とする。
【課題を解決するための手段】
【００１１】
本発明の歌唱採点順位表示システムは、上述した目的を達成するため、以下の特徴点を有している。すなわち、本発明の歌唱採点順位表示システムは、任意のカラオケ楽曲について歌唱採点を所望する利用者の歌唱採点順位と、当該利用者が指定した対戦相手の歌唱採点順位とを、カラオケ楽曲の演奏進行に伴って逐次表示することが可能な歌唱採点順位表示システムであって、歌唱採点手段と、利用者別歌唱採点値管理手段と、楽曲別歌唱採点値管理手段と、対戦相手特定手段と、歌唱採点順位逐次表示手段とを備えたことを特徴とするものである。
【００１２】
歌唱採点手段は、利用者がカラオケ楽曲の歌唱を行う際に、マイクロホンから入力された当該利用者の歌唱音声と、当該カラオケ楽曲の採点リファレンスデータとを所定の歌唱区間毎に比較して歌唱採点値を算出するための手段である。利用者別歌唱採点値管理手段は、利用者別に、歌唱採点手段により歌唱採点値が算出された利用者の利用者識別情報と、カラオケ楽曲の楽曲識別情報と、歌唱区間毎の歌唱採点値とを関連付けて、利用者別歌唱採点値データベースにて管理するための手段である。
【００１３】
楽曲別歌唱採点値管理手段は、楽曲別に、カラオケ楽曲の楽曲識別情報と、当該カラオケ楽曲における歌唱区間毎の歌唱採点値に基づいて算出される利用者の最終歌唱採点値とを関連付けて、楽曲別歌唱採点値データベースにて管理するための手段である。対戦相手特定手段は、利用者別歌唱採点値データベースに基づいて、歌唱対戦を所望する利用者により入力されたカラオケ楽曲の楽曲識別情報及び対戦相手となる利用者の利用者識別情報を特定するための手段である。
【００１４】
歌唱採点順位逐次表示手段は、歌唱対戦を所望する利用者が特定されたカラオケ楽曲の歌唱を行うと、当該カラオケ楽曲の演奏進行に伴う歌唱区間毎に、楽曲別歌唱採点値データベースにおける当該カラオケ楽曲の最終歌唱採点値と、利用者別歌唱採点値データベースにおける対戦相手の当該歌唱区間の歌唱採点値と、当該利用者の当該歌唱区間の歌唱採点値とに基づいて、当該利用者の歌唱採点順位及び当該対戦相手の歌唱採点順位を算出して表示するための手段である。
【００１５】
また、楽曲別歌唱採点値管理手段の機能として、楽曲別に、カラオケ楽曲の楽曲識別情報と、歌唱区間毎の歌唱採点値に基づいて算出される利用者の最終歌唱採点値と、利用者の利用者識別情報とを関連付けて楽曲別歌唱採点値データベースにて管理する機能を持たせることが可能である。この場合、歌唱採点順位逐次表示手段は、楽曲別歌唱採点値データベースに対戦相手の利用者識別情報が含まれていた場合、当該利用者識別情報に関連付けられた最終歌唱採点値を除外して歌唱採点順位を算出する。
【００１６】
上述した構成からなる歌唱採点順位表示システムでは、歌唱採点手段の機能により、利用者毎及びカラオケ楽曲毎に歌唱採点値を算出する。そして、利用者別歌唱採点値管理手段の機能により、カラオケ楽曲の楽曲識別情報（例えば、楽曲ＩＤ）と、歌唱を行った利用者の利用者識別情報（例えば、利用者ＩＤ）と、算出された歌唱採点値とを関連付けて、利用者別歌唱採点値データベースにて管理する。また、楽曲別歌唱採点値管理手段の機能により、カラオケ楽曲毎に、楽曲識別情報と、最終歌唱採点値とを関連付けて、楽曲別歌唱採点値データベースにて管理する。
【００１７】
利用者が、任意の楽曲について特定の対戦相手と歌唱採点順位を競うことを所望した場合、対戦相手特定手段の機能により、利用者別歌唱採点値データベースに基づいて、利用者により入力されたカラオケ楽曲の楽曲識別情報及び対戦相手となる利用者の利用者識別情報を特定する。
【００１８】
利用者によるカラオケ楽曲の選曲と、対戦相手の特定が終了し、選曲されたカラオケ楽曲の演奏が開始すると、歌唱採点順位逐次表示手段の機能により、所定の歌唱区間毎に、当該利用者の歌唱採点値等に基づいて算出した歌唱採点順位と、対戦相手である利用者の歌唱採点順位とを、表示装置の表示画面等に表示する。
【発明の効果】
【００１９】
本発明の歌唱採点順位表示システムによれば、特定の対戦相手と歌唱採点順位を競うことを所望した利用者は、所定の歌唱区間毎に、利用者全体の採点ランキングに対して、自らの歌唱採点順位と、対戦相手の歌唱採点順位を知ることができる。これにより、自らの歌唱採点順位と、対戦相手の歌唱採点順位の相対的な評価を知ることができる。したがって、カラオケ楽曲の演奏が開始してから終了するまでの間、特定の相手に対して、常に競争意識を持って歌唱を行うことができるため、カラオケ歌唱の楽しさを高めることが可能となる。
【００２０】
特に、対戦相手がライバル関係にある場合には、漫然と歌唱するのではなく、歌唱採点順位を競うために緊張感を持って歌唱を行い、対戦相手とのデッドヒートが繰り広げられる。このため、歌唱者本人だけではなく、同席したカラオケ仲間も対戦結果に注目するので、カラオケ仲間が一体となってカラオケ歌唱を盛り上げることが可能となる。
【図面の簡単な説明】
【００２１】
【図１】本発明の実施形態に係る歌唱採点順位表示システムを適用したカラオケ演奏端末の構成を示すブロック図。
【図２】利用者別歌唱採点値データベースの構成例を示す説明図。
【図３】楽曲別歌唱採点値データベースの構成例を示す説明図。
【図４】歌唱採点順位の表示例を示す模式図。
【発明を実施するための形態】
【００２２】
以下、図面を参照して、本発明の歌唱採点順位表示システムの実施形態について説明する。図１〜図４は本発明の実施形態に係る歌唱採点順位表示システムを示すもので、図１は歌唱採点順位表示システムを適用したカラオケ演奏端末の構成を示すブロック図、図２は利用者別歌唱採点値データベースの構成例を示す説明図、図３は楽曲別歌唱採点値データベースの構成例を示す説明図、図４は歌唱採点順位の表示例を示す模式図である。
【００２３】
＜システムの概要＞
本発明の実施形態に係る歌唱採点順位表示システムは、任意のカラオケ楽曲について歌唱採点を所望する利用者の歌唱採点順位と、当該利用者が指定した対戦相手の歌唱採点順位とを、カラオケ楽曲の演奏進行に伴って逐次表示することが可能なシステムである。
【００２４】
なお、本実施形態で説明するカラオケ楽曲とは、楽曲識別情報（例えば、楽曲ＩＤ）で特定されるカラオケ楽曲のことである。すなわち、同じ名称のカラオケ楽曲であっても、アーティスト、歌詞、アレンジ等により、複数のバージョンが存在する場合があり、本実施形態では、これらのカラオケ楽曲を区別して扱っている。
【００２５】
また、利用者を識別するための利用者識別情報は、利用者がカラオケ演奏端末を含むシステムにログインする際に取得するようになっている。すなわち、本実施形態の歌唱採点順位表示システムでは、利用者が所持するＩＤカードをカラオケリモコン装置の受信部に近接させて情報を送信したり、携帯情報端末の無線通信網及びネットワーク回線を介してカラオケ演奏端末に情報を送信したり、携帯情報端末から直接、カラオケ演奏端末に情報を送信したりすることにより、システムログインした利用者の利用者識別情報（利用者ＩＤ）を取得することができる。なお、会員登録していない利用者であっても、仮の利用者識別情報（仮利用者ＩＤ）を発行して、システムログインできるようにしてもよい。
【００２６】
なお、以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００２７】
本発明の実施形態に係る歌唱採点順位表示システム１０は、図１に示すように、歌唱採点手段５８と、利用者別歌唱採点値管理手段２３と、楽曲別歌唱採点値管理手段２４と、対戦相手特定手段６２と、歌唱採点順位逐次表示手段６３とにより実現される。本実施形態では、利用者別歌唱採点値管理手段２３と、楽曲別歌唱採点値管理手段２４は、歌唱採点値管理サーバ２０の機能手段として実現され、歌唱採点手段５８と、対戦相手特定手段６２と、歌唱採点順位逐次表示手段６３は、カラオケ演奏端末３０（カラオケ本体３１）の機能手段として実現される。
【００２８】
本発明の実施形態に係る歌唱採点順位表示システム１０は、図１に示すように、歌唱採点値管理サーバ２０と複数のカラオケ演奏端末３０とが、ルータ７０及び通信ネットワーク（本実施形態では、インターネット４０）を介して相互に接続されている。通信ネットワークは、公衆電話回線、専用電話回線、光通信回線、ＬＡＮ等を用いることができるが、ネットワークに対する第三者の侵入やデータの傍聴及び改竄が困難であるとともに、帯域を独占せずに安価な通信網であるという点で、インターネット４０により構成されるＶＰＮを利用することが好ましい。
【００２９】
＜歌唱採点値管理サーバ＞
歌唱採点値管理サーバ２０は、複数の利用者の歌唱採点値を管理するためのサーバであり、特に、歌唱採点値を競うゲームに参加する利用者の歌唱採点値を管理するようになっている。この歌唱採点値管理サーバ２０は、サーバ制御手段２１、データ送受信手段２２、利用者別歌唱採点値管理手段２３、楽曲別歌唱採点値管理手段２４、各種データ（利用者別歌唱採点値データベース２５ａ、楽曲別歌唱採点値データベース２５ｂ）の記憶手段２５（例えば、ＨＤＤ）を備えている。なお、歌唱採点値を管理するための専用の歌唱採点値管理サーバ２０を備えるのではなく、他のサーバに歌唱採点値管理サーバ２０の機能を兼ね備えさせてもよい。また、仮想化技術により、一つのサーバを複数の機能を有するサーバとして機能させ、仮想化サーバの一つとして歌唱採点値管理サーバ２０を構築することができる。
【００３０】
＜サーバ制御手段／データ送受信手段＞
サーバ制御手段２１は、歌唱採点値管理サーバ２０を統括的に制御するための手段であり、ＣＰＵ及びその周辺機器を含んで構成され、ＣＰＵ等がＲＯＭ等に格納されたプログラムに従って動作することにより制御機能を発揮するようになっている。データ送受信手段２２は、各カラオケ演奏端末３０との間で、歌唱映像等の各種データの送受信を行うための手段であり、通信ネットワーク（インターネット４０）における通信方式の整合性を保つための通信回路やプログラムにより構成される。
【００３１】
＜利用者別歌唱採点値管理手段＞
利用者別歌唱採点値管理手段２３は、利用者別に、歌唱採点手段５８により歌唱採点値が算出された利用者の利用者識別情報（例えば、利用者ＩＤ）と、カラオケ楽曲の楽曲識別情報（例えば、楽曲ＩＤ）と、歌唱区間毎の歌唱採点値とを関連付けて利用者別歌唱採点値データベース２５ａにて管理するためのプログラムからなる。
【００３２】
すなわち、利用者別歌唱採点値管理手段２３は、歌唱採点値を競うゲームに参加する利用者が、任意のカラオケ楽曲について歌唱採点手段５８の機能を用いて歌唱採点を行った場合に、当該利用者の利用者識別情報と、当該カラオケ楽曲の楽曲識別情報と、歌唱区間毎の歌唱採点値とを関連付けて利用者別歌唱採点値データベース２５ａを作成して管理する。
【００３３】
＜利用者別歌唱採点値データベース＞
利用者別歌唱採点値データベース２５ａは、図２に示すように、各カラオケ楽曲について、利用者ＩＤと歌唱区間毎の歌唱採点値とを関連付けて作成した利用者別歌唱採点値データが格納されるベースである。すなわち、歌唱採点値を競うゲームに参加する利用者が歌唱を行い歌唱採点値が算出された場合、歌唱採点が行われたカラオケ楽曲の楽曲ＩＤと、歌唱採点を行った利用者の利用者ＩＤと、所定の歌唱区間毎の歌唱採点値とからなるデータをデータベースに格納する。
【００３４】
なお、利用者別歌唱採点値データベース２５ａのデータ構成は、上述したものに限られず、全歌唱区間の最終歌唱採点値、利用者のハンドル名、性別、年齢等、他のデータを含んでいてもよい。なお、最終歌唱採点値とは、全歌唱区間の単純平均値、区間毎に重み付けを行った加重平均値、標準偏差値等、各利用者の歌唱採点値を総合的に評価した値のことである（楽曲別歌唱採点値データベース２５ｂを構成するデータについても同様）。
【００３５】
本実施形態では、カラオケ本体３１の歌唱採点手段５８の機能により歌唱採点値が算出され、上述した各データは、通信ネットワーク（インターネット４０）を介して、歌唱採点値管理サーバ２０に送信される。
【００３６】
＜楽曲別歌唱採点値管理手段＞
楽曲別歌唱採点値管理手段２４は、楽曲別に、カラオケ楽曲の楽曲識別情報（例えば、楽曲ＩＤ）と、歌唱区間毎の歌唱採点値に基づいて算出される利用者の最終歌唱採点値とを関連付けて、楽曲別歌唱採点値データベース２５ｂにて管理するためのプログラムからなる。すなわち、楽曲別歌唱採点値管理手段２４は、歌唱採点値を競うゲームに参加する利用者が歌唱を行い歌唱採点値が算出された場合、歌唱採点が行われたカラオケ楽曲の楽曲識別情報と、最終歌唱採点値とを関連付けて、楽曲別歌唱採点値データベース２５ｂにて管理する。
【００３７】
＜楽曲別歌唱採点値データベース＞
楽曲別歌唱採点値データベース２５ｂは、図３に示すように、楽曲識別情報で特定される各カラオケ楽曲について、各利用者の最終歌唱採点値を格納して構成したデータベースである。上述したように、カラオケ本体３１の歌唱採点手段５８の機能により最終歌唱採点値が算出されると、当該最終歌唱採点値が通信ネットワーク（インターネット４０）を介して、歌唱採点値管理サーバ２０に送信されてくる。楽曲別歌唱採点値データベース２５ｂは、これらの最終歌唱採点値を格納して構成されている。
【００３８】
なお、図３に示す例では、楽曲別歌唱採点値データベース２５ｂにおいて、各利用者の最終歌唱採点値を順位付けしている（降順に並べている）が、順位付け（最終歌唱採点値のソート）がされていなくてもよい。すなわち、各利用者の最終歌唱採点値を受信する毎に、各最終歌唱採点値を楽曲別歌唱採点値データベース２５ｂに格納し、各利用者の歌唱採点値を表示する際に、最終歌唱採点値の順位を算出してもよい。
【００３９】
また、楽曲別歌唱採点値データベース２５ｂのデータ構成は、上述したものに限られず、各最終歌唱採点値を取得した利用者の利用者識別情報（利用者ＩＤ）、ハンドル名、性別、年齢等、他のデータを含んでいてもよい。また、図３に示す例では、説明を容易なものとするため、各順位においてそれぞれ最終歌唱採点値が異なっているが、複数の利用者が同点で同順位という場合もある。例えば、上位３名の最終歌唱採点値が同点であれば、当該３名はそれぞれ総合歌唱採点順位が１位であり、第２位、第３位は存在せず、次順位は第４位となる。
【００４０】
＜カラオケ演奏端末＞
本発明の実施形態に係る歌唱採点順位表示システム１０を適用するカラオケ演奏端末３０は、図１に示すように、カラオケ本体３１、スピーカ３２、マイクロホン３３、表示装置３４、ミキシングアンプ３５、カラオケリモコン装置３６を備えている。
【００４１】
＜マイクロホン／スピーカ＞
マイクロホン３３は、歌唱音声の入力を行うための装置である。マイクロホン３３から入力された歌唱音声信号は、ミキシングアンプ３５により、音楽再生制御手段５９から送出される演奏音声信号とミキシングされると共に増幅され、スピーカ３２へ出力される。なお、マイクロホン３３からの音声入力信号は、Ａ／Ｄコンバータ６０によりデジタル変換されて、歌唱採点手段５８における歌唱採点等に使用される。
【００４２】
＜表示装置＞
表示装置３４は、カラオケ楽曲に関連した背景映像や歌詞テロップ等を表示するための装置で、例えば、液晶ディスプレイ等により構成される。本実施形態では、カラオケ楽曲の歌唱採点を競うゲームを行う場合に、表示装置３４の表示画面に、背景映像や歌詞テロップと共に、歌唱区間毎に、歌唱者及び対戦相手の歌唱採点順位が表示される（図４参照）。
【００４３】
＜カラオケ本体＞
カラオケ本体３１は、図１に示すように、ネットワーク送受信手段５１、中央制御手段５２、ＲＯＭ５３、ＲＡＭ５４、ＨＤＤ５５、ローカル送受信手段５６、予約管理手段５７、歌唱採点手段５８、音楽再生制御手段５９、Ａ／Ｄコンバータ６０、映像再生制御手段６１、対戦相手特定手段６２、歌唱採点順位逐次表示手段６３を備えている。
【００４４】
＜中央制御手段＞
中央制御手段５２は、カラオケ本体３１を総合的に制御するための手段であり、例えばＣＰＵ及びその周辺機器により構成されており、ＣＰＵ等がＲＯＭ５３等に記憶されたプログラムに従って動作することにより、制御機能を発揮することができるようになっている。
【００４５】
＜ＲＯＭ／ＲＡＭ＞
ＲＯＭ５３は、カラオケ本体３１を構成する各機器を制御するためのプログラムデータや数値データを記憶するための機器で、例えば半導体メモリ等で構成される。また、ＲＡＭ５４は、プログラムや各種データを一時的に記憶する一時記憶領域として機能するもので、例えば半導体メモリ等で構成される。なお、物理的な半導体メモリによりＲＡＭ５４を構成するのではなく、ＨＤＤ等を用いて仮想的なＲＡＭ５４を構成してもよい。
【００４６】
本実施形態では、ＲＡＭ５４に予約待ち行列５４ａが記憶されるようになっている。この予約待ち行列５４ａは、選曲予約されたカラオケ楽曲について、演奏順に楽曲ＩＤを並べて構成したデータベースであり、選曲者の利用者ＩＤ等、他の識別データが紐付けられている場合もある。また、歌唱採点順位を競うゲームを行う場合には、対戦相手の利用者識別情報（利用者ＩＤやハンドルネーム）が、予約待ち行列５４ａの構成データに含まれている。
【００４７】
また、本実施形態では、歌唱者及び対戦相手の歌唱採点順位を表示するために、歌唱採点値管理サーバ２０において記憶されている利用者別歌唱採点値データベース２５ａ及び楽曲別歌唱採点値データベース２５ｂをダウンロードして、ＲＡＭ５４に記憶してもよい。
【００４８】
＜ＨＤＤ＞
ＨＤＤ５５は、大容量記憶装置として機能するもので、楽曲データベース５５ａ、映像データベース５５ｂが格納されている。なお、ＨＤＤ５５に替えて、あるいはＨＤＤ５５と共に、データを書き替え可能なＤＶＤ等の大容量記憶装置を用いてもよい。
【００４９】
＜楽曲データベース／映像データベース＞
楽曲データベース５５ａは、複数のカラオケ楽曲について、演奏データ及び歌詞描出データが同期されて構成される楽曲データについて、楽曲ＩＤと対応付けてそれぞれ構成されたデータベースである。歌詞描出データは演奏に同期した歌詞文字の表示タイミングデータ及び色変わりデータを含んでいる。映像データベース５５ｂは、演奏されるカラオケ楽曲に対応した背景映像を、当該カラオケ楽曲の楽曲ＩＤに対応させた映像ファイルとして所定数格納したデータベースである。
【００５０】
＜送受信手段＞
ローカル送受信手段５６は、カラオケ本体３１とカラオケリモコン装置３６との間で、データの送受信を行うための電子回路及びプログラムからなる。本実施形態では、赤外線通信により、カラオケ本体３１とカラオケリモコン装置３６との間でデータの送受信が行われる。ネットワーク送受信手段５１は、カラオケ本体３１と歌唱採点値管理サーバ２０との間で、データの送受信を行うための電子回路及びプログラムからなる。
【００５１】
＜予約管理手段＞
予約管理手段５７は、楽曲検索手段３６ａの機能を用いて検索され、選曲予約された楽曲ＩＤを演奏順に並べて予約待ち行列５４ａを生成し、この予約待ち行列５４ａをＲＡＭ５４に格納して管理するためのプログラムからなる。
【００５２】
＜音楽再生制御手段＞
音楽再生制御手段５９は、楽曲ＩＤに基づいて楽曲データベース５５ａから抽出された演奏データを、ミキシングアンプ３５に出力するための電子回路からなる。なお、演奏データがＭＩＤＩ規格の演奏制御データである場合には、この演奏制御データに基づいて、音源データをデジタル再生すると共にアナログ変換してミキシングアンプ３５に出力する。上述したように、ミキシングアンプ３５は、マイクロホン３３から入力された歌唱者の歌唱音声信号と、音楽再生制御手段５９から送出される演奏音声信号とをミキシングすると共に、アンプ機能により増幅してスピーカ３２より出力するための装置である。
【００５３】
＜映像再生制御手段＞
映像再生制御手段６１は、カラオケ楽曲の演奏中に、映像データベース５５ｂから抽出した背景映像データと、演奏データに含まれる歌詞描出データに基づく歌詞文字とを、当該カラオケ楽曲の演奏データに同期させて表示装置３４に出力するためのプログラムからなる。
【００５４】
＜歌唱採点手段＞
歌唱採点手段５８は、利用者がカラオケ楽曲の歌唱を行う際に、マイクロホン３３から入力された当該利用者の歌唱音声と、当該カラオケ楽曲の採点リファレンスデータとを所定の歌唱区間毎に比較して歌唱採点値を算出するためのプログラムからなる。従来より、種々の歌唱採点方法が開示されており、本実施形態では、周知の歌唱採点方法のいずれを採用してもよいが、特に、歌唱区間毎に歌唱採点値を算出することが可能な歌唱採点方法を採用する必要がある。
【００５５】
歌唱採点方法としては、例えば、ＭＩＤＩ規格の演奏データにより構成されたガイドメロディデータをリファレンスデータとして、このＭＩＤＩ規格のデータを周波数データ及び音量データに変換し、歌唱採点手段５８に入力する。
【００５６】
一方、マイクロホン３３から入力された歌唱音声信号を、Ａ／Ｄコンバータ６０によりデジタル波形データに変換し、歌唱周波数データ及び歌唱音量データを抽出する。この抽出した歌唱周波数データ及び歌唱音量データと、リファレンスデータの周波数データ及び音量データとを比較して、その差分データを抽出する。また、歌唱音量データとガイドメロディ音量データから、歌唱発音時のタイミングの差分に基づいてリズム差分データを抽出する。そして、抽出した差分データの平均値や標準偏差などに基づいて歌唱採点値を算出する。なお、本実施形態では、上述したように、歌唱採点値は、所定の歌唱区間毎に算出する。
【００５７】
＜対戦相手特定手段＞
対戦相手特定手段６２は、利用者別歌唱採点値データベース２５ａに基づいて、歌唱対戦を所望する利用者により入力されたカラオケ楽曲の楽曲識別情報及び対戦相手となる利用者の利用者識別情報を特定するためのプログラムからなる。
【００５８】
例えば、利用者がカラオケリモコン装置３６を用いて選曲操作を行う際に、歌唱採点を行うとともに、歌唱採点順位を競うゲームに参加する旨の指定入力を行った場合に、対戦相手特定手段６２は、利用者別歌唱採点値データベース２５ａに基づいて、選曲されたカラオケ楽曲の楽曲識別情報に関連付けられた利用者識別情報を有する利用者の中から、対戦相手である利用者を特定可能に表示する。選曲操作を行う利用者は、さらに対戦相手を選択し、当該対戦相手を選択する旨の指定入力を行うことにより対戦相手が特定される。上述したように、特定された対戦相手の利用者識別情報（利用者ＩＤやハンドルネーム）は、予約待ち行列５４ａの構成データとなる。
【００５９】
＜歌唱採点順位逐次表示手段＞
歌唱採点順位逐次表示手段６３は、歌唱対戦を所望する利用者が特定されたカラオケ楽曲の歌唱を行うと、当該カラオケ楽曲の演奏進行に伴う歌唱区間毎に、楽曲別歌唱採点値データベース２５ｂにおける当該カラオケ楽曲の最終歌唱採点値と、利用者別歌唱採点値データベース２５ａにおける対戦相手の当該歌唱区間の歌唱採点値と、当該利用者の当該歌唱区間の歌唱採点値とに基づいて、当該利用者の歌唱採点順位及び当該対戦相手の歌唱採点順位を算出して表示するためのプログラムからなる。
【００６０】
すなわち、歌唱採点順位逐次表示手段６３は、対戦相手を指定して選曲されたカラオケ楽曲が演奏されると、歌唱採点手段５８の機能により、マイクロホン３３から入力される当該利用者の歌唱音声に基づいて、歌唱区間毎に歌唱採点値を算出するとともに、楽曲別歌唱採点値データベース２５ｂにおける当該カラオケ楽曲の最終歌唱採点値と、利用者別歌唱採点値データベース２５ａにおける対戦相手の当該歌唱区間の歌唱採点値とに基づいて、当該利用者の歌唱採点順位及び当該対戦相手の歌唱採点順位を算出する。
【００６１】
この際、楽曲別歌唱採点値データベース２５ｂに対戦相手の利用者識別情報が含まれていた場合、当該利用者識別情報に関連付けられた最終歌唱採点値を除外して歌唱採点順位を算出することにより、さらに正確な歌唱採点順位を算出することができる。
【００６２】
そして、図４に示すように、表示装置３４の表示画面等に、カラオケ楽曲の演奏進行に伴い、歌唱区間毎に、現に歌唱している利用者の歌唱採点順位と、当該利用者により指定された対戦相手の歌唱採点順位を表示する。これにより、現に歌唱している利用者や同席している仲間は、歌唱区間毎に、歌唱採点順位の対戦を行っている利用者及び対戦者の歌唱採点順位を認識することができる。
【００６３】
この場合、歌唱採点順位が高い利用者について強調表示したり、歌唱採点順位の優劣に従い表示の大きさを変えたりして、歌唱採点順位の優劣を識別可能に表示してもよい。また、歌唱採点順位の履歴を表示してもよい。
【００６４】
＜カラオケリモコン装置＞
カラオケリモコン装置３６は、ユーザインタフェース機能を備えており、カラオケ本体３１のローカル送受信手段５６との間で有線方式又は無線方式によりデータの送受信を行うようになっている。このカラオケリモコン装置３６は、楽曲検索手段３６ａ、楽曲索引データベース３６ｂ、データ記憶部３６ｃ、入出力表示部３６ｄ、データの送受信を行うための電子回路及びプログラム（図示せず）を備えている。
【００６５】
＜楽曲検索手段／楽曲索引データベース＞
楽曲検索手段３６ａは、利用者が入力した検索条件に基づいてカラオケ楽曲を検索するためのプログラムからなる。すなわち、楽曲検索手段３６ａは、利用者による検索条件（曲名、歌手名、音楽ジャンル区分、流行時期等）の入力に基づき、楽曲索引データベース３６ｂを参照して楽曲を検索する。楽曲索引データベース３６ｂは、カラオケ演奏端末３０で演奏に供されるカラオケ楽曲について、その属性情報を記述したデータベースであり、例えば、楽曲ＩＤ・曲名・歌手名・歌い出し部分の歌詞・流行時期・音楽ジャンル区分・演奏形態・デュエット曲など、種々の属性情報がこれに含まれている。楽曲検索手段３６ａにより楽曲検索を行うとカラオケリモコン装置３６の入出力表示部３６ｄに、検索結果が一覧表示される。
【００６６】
＜データ記憶部＞
データ記憶部３６ｃは、選曲予約の履歴等を記憶するための領域で、図示しないが、選曲予約データ、選曲予約履歴データ等、各種のデータが記憶される。
【００６７】
＜入出力表示部＞
入出力表示部３６ｄは、例えば、タッチパネル式の液晶表示装置３４からなり、上述したように、楽曲検索手段３６ａにより検索を行う際の入力表示、検索結果の一覧表示、各種の案内表示等を行うと共に、表示されるアイコン等を操作することにより、歌唱採点順位を競う対戦相手の入力指示を行うことができる。
【００６８】
＜他の実施形態＞
本発明の歌唱採点順位表示システム１０及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。さらに、ネットワークを介して複数のカラオケ演奏端末３０を接続するのではなく、一つの店舗内において、ＬＡＮ接続された複数のカラオケ演奏端末３０と、当該店舗内に設置された歌唱採点値管理サーバ２０とを利用して、歌唱採点順位表示システム１０を構成してもよい。
【符号の説明】
【００６９】
１０  歌唱採点順位表示システム
２０  歌唱採点値管理サーバ
２１  サーバ制御手段
２２  データ送受信手段
２３  利用者別歌唱採点値管理手段
２４  楽曲別歌唱採点値管理手段
２５  記憶手段
２５ａ  利用者別歌唱採点値データベース
２５ｂ  楽曲別歌唱採点値データベース
３０  カラオケ演奏端末
３１  カラオケ本体
３２  スピーカ
３３  マイクロホン
３４  表示装置
３５  ミキシングアンプ
３６  カラオケリモコン装置
３６ａ  楽曲検索手段
３６ｂ  楽曲索引データベース
３６ｃ  データ記憶部
３６ｄ  入出力表示部
４０  インターネット
５１  ネットワーク送受信手段
５２  中央制御手段
５３  ＲＯＭ
５４  ＲＡＭ
５４ａ  予約待ち行列
５５  ＨＤＤ
５５ａ  楽曲データベース
５５ｂ  映像データベース
５６  ローカル送受信手段
５７  予約管理手段
５８  歌唱採点手段
５９  音楽再生制御手段
６０  Ａ／Ｄコンバータ
６１  映像再生制御手段
６２  対戦相手特定手段
６３  歌唱採点順位逐次表示手段
７０  ルータ
【図１】
2014149400.tif 000003
【図２】
2014149400.tif 000004
【図３】
2014149400.tif 000005
【図４】
2014149400.tif 000006